(57)【特許請求の範囲】
【請求項１】
側壁部が垂直状または外側に傾斜した断面Ｕ形として成形されたコンクリートブロックの内側に前端部を平面的に波状屈曲または傾斜させた水流抑制部を設け、該ブロック内の水流に蛇行流を形成させるようにし、水流抑制部が中間部または一側部を突出させた前端部と中間部を弯入させた前端部とを組として側壁部が垂直状または外側に傾斜した断面Ｕ形コンクリートブロックの内側に対設され、しかも前記水流抑制部の表面が前記コンクリートブロックの底面部又は側壁部表面より高レベルとし、傾斜を採って形成されたことを特徴とする水路用コンクリートブロック。
【請求項２】
水流制御部の表面に自然石または自然石状突出模様が設けられたことを特徴とする請求項１に記載の水路用コンクリートブロック。
【請求項３】
側壁部が垂直状または外側に傾斜した断面Ｕ形として成形されたコンクリートブロックと水流抑制部とが別体成形され、前記水流抑制部の底面に凹溝を形成したことを特徴とする請求項１又は請求項２に記載の水路用コンクリートブロック。
【請求項４】
コンクリートブロックの側壁部における余裕高の上面のみまたは表面に本石、本木、タイルなどの埋設や貼り付け、あるいは擬石、擬木あるいはタイル模様などの立体的模様部を形成したことを特徴とする請求項１〜３の何れか１つに記載の水路用コンクリートブロック。
【請求項５】
側壁部が垂直状または外側に傾斜した断面Ｕ形として成形されたコンクリートブロックの幅方向中間部に隔壁を形成したことを特徴とする請求項１〜４の何れか１つに記載の水路用コンクリートブロック。
【請求項６】
請求項１〜５の何れか１つに記載のコンクリートブロックを連設し、それらコンクリートブロックに設けられた水流制御部により一連の蛇行水流を形成させるようにしたことを特徴としたコンクリートブロック水路。
【発明の詳細な説明】
【０００１】
【発明の属する技術分野】
本発明は水路用コンクリートブロックおよびコンクリートブロック水路に係り、コンクリートブロックによる水路において好ましい蛇行流を形成し、流速緩和や水中への空気（酸素）の補給ないし水質浄化や苔や藻類の着生による餌場および底面の凹溝が魚巣や避難場となるようにすることなどを図ろうとするものである。
【０００２】
【従来の技術】
土砂などで側壁、底部の３面の自然な水路が水路側壁の崩壊、水路周辺における雑草などの旺盛な繁殖生長などの不利を有し、その管理に相当の苦心と大きな労力を必要とすることから斯うした水路の側壁および底面の３面張りをコンクリートブロックによって形成することについては従来から種々に検討され、次第に一般化されつつある。
【０００３】
【発明が解決しようとする課題】
上記のような従来のコンクリートブロック水路においてはコンクリートによる水路であることから前記したような従来の自然水路における不利を適切に解消できるが、コンクリートブロックの平滑な内面に水流が形成されるものであることから単に水流が得られるだけであって、一般的に急速な流れとなり、また水路における水の浄化や水生生物の生息なども殆んど図り得ない。即ち水路周辺における自然環境が著しく変化し、河川本来の環境が大幅に変化したものとならざるを得ない。
【０００４】
【課題を解決するための手段】
本発明は上記したような従来技術における課題を解消することについて検討を重ね、コンクリートブロック水路における有利性を確保しながら、しかも該水路において自然環境的な蛇行流を形成せしめ、流速緩和、水質浄化、苔や藻類を着生して餌場や魚巣、避難場所の提供などを適切に達成することに成功したものであって、以下の如くである。
【０００５】
（１）  側壁部が垂直状または外側に傾斜した断面Ｕ形として成形されたコンクリートブロックの内側に前端部を平面的に波状屈曲または傾斜させた水流抑制部を設け、該ブロック内の水流に蛇行流を形成させるようにし、水流抑制部が中間部または一側部を突出させた前端部と中間部を弯入させた前端部とを組として側壁部が垂直状または外側に傾斜した断面Ｕ形コンクリートブロックの内側に対設され、しかも前記水流抑制部の表面が前記コンクリートブロックの側壁部を高レベルとした傾斜を採って形成されたことを特徴とする水路用コンクリートブロック。
【０００７】
（２） 水流制御部の表面に自然石または自然石状突出模様若しくは微粒材または微粒子状突出模様が設けられたことを特徴とする前記（１）項に記載の水路用コンクリートブロック。
【０００８】
（３） 側壁部が垂直状または外側に傾斜した断面Ｕ形として成形されたコンクリートブロックと水流抑制部とが別体成形され、前記水流抑制部の底面に凹溝を形成したことを特徴とする前記（１）項又は（２）項に記載の水路用コンクリートブロック。
【０００９】
（４） コンクリートブロックの側壁部における余裕高の上面のみまたは表面に本石、本木、タイルなどの埋設や貼り付け、あるいは擬石、擬木あるいはタイル模様などの立体的模様部を形成したことを特徴とする前記（１）項〜（３）項の何れか１つに記載の水路用コンクリートブロック。
【００１０】
（５） 側壁部が垂直状または外側に傾斜した断面Ｕ形として成形されたコンクリートブロックの幅方向中間部に隔壁を形成したことを特徴とする前記（１）項〜（４）項の何れか１つに記載の水路用コンクリートブロック。
【００１１】
（６） 前記（１）項〜（５）項の何れか１つに記載のコンクリートブロックを連設し、それらコンクリートブロックに設けられた水流制御部により一連の蛇行水流を形成させるようにしたことを特徴としたコンクリートブロック水路。
【００１２】
【発明の実施の形態】
上記したような本発明によるものの具体的な実施態様を適宜に添附図面を参照して説明すると、本発明においては１例として図１に示すようなコンクリートブロックによる水流抑制部１を図２に示すような断面Ｕ形のコンクリートブロック１０の内側に設けるもので、前記水流抑制部１の構成は前端縁１１を波状屈曲６させて形成したもので、このような前端縁１１の関係は別に図３および図４に示す如くで、各コンクリートブロック１０に関して中間部を突出させた前端部１１ａのもの同士またはそれとは反対に中間部を弯入させた前端部１１ｂとしたもの同士あるいは前端部１１ａのものと１１ｂのものを組合せて対として対設するものである。
【００１３】
また、これら図１〜図４に示すものは図１に明かなように前述したような前端部１１ａまたは１１ｂ側が次第に低くされ、コンクリートブロック１０の底部内面に接合して取付けられることは図３の如くであるが、本発明によるものは別に図５に示すように水流抑制部１の前縁を平面的に直線状傾斜７としたものでもよい。即ち、この図５に示したような平面的に直線状傾斜７とされた水流抑制部はＵ形コンクリートブロック１０の底部内面に対し、その広幅部１４と狭幅部１５とが対向して位置するように取付けたものを交互に反対の関係としてコンクリートブロック１０を連設することにより屈曲流が形成され、実質的な水流は弯曲流となって蛇行流を形成する。
【００１４】
前記したような水流抑制部１は各図において示されているように垂直的に上記したような前端縁１１側が低く、コンクリートブロック１０の側壁に接して取付けられる後端部１２側が次第に高くされており、特に前端縁１１部分においては急傾斜面６が形成されている。即ちこのような水流抑制部１を図１５に示す如く片側に設置したり、図３の如く両側に対設されることにより前端部間において急傾斜面６、６で幅の狭い水流域が形成されるがそれに連続して各抑制部１、１の上面間に次第に幅広とされた水流域が形成されている。
【００１５】
上記したような抑制部１、１の上面には玉石の天然石材を埋設したり、または玉石などの自然石状立体模様８が形成されていて、上述したように次第に幅広とされた水流域において流れる水流によって爽やかなせせらぎ流を形成することができる。水流抑制部１の上面には別に図９に示すようにポーラス状の如き透水性表層部９を形成したり全体をポーラス状にするほか、図１０に示す如く透水性のある火山礫などの天然石材９ａや保水力のあるように成形したタイル材９ｂを埋設したり貼設で形成することにより流下する水質を適宜に浄化することができ、図１２は火山礫の天然石９ａを、図１３は保水力の高いタイル材９ｂを埋設した状態を示す断面図である。
【００１６】
コンクリートブロック１０に対する水流抑制部１の取付けは１例として図３に示すような固定部材２１を採用し、ブロック１０の凹穴内に充填されたモルタル層中に挿入固定することによって強固に達成されるが、勿論その他の任意の固定手法を採用し得るもので、そうした固定手法に限定されるものでない。なお、重量が大きく流速で流されることがない場合は単に設置するものでよい。
【００１７】
各水流抑制部１の底面には凹溝５、５ａがその側面に配設され、特に内部に図１２〜図１４に示す如く形成された内腔１７を介して相互に連通せしめられており、上述したように制御部１、１間に形成される水流は凹溝５および内腔１７内に進入し、これを充満せしめ、従って該水流中に棲息する魚類その他の水生生物の休息ないし生息域とされる。凹溝は水路側からの魚介類の出入口で連続して使用するときは、内腔１７で分割されて形成された魚巣管の通路として作用し、通水効果により魚巣内の水のよどみを防止する。またこのように内腔１７ないし凹溝５が形成されることにより水流抑制部１を形成するためのコンクリート量を低減し、低コストに本発明によるブロックないし水路を形成することができる。
【００１８】
本発明によるコンクリートブロック１は前記したような天然石材やタイル材等の埋込みまたは自然石状立体模様８を形成することに代え、その上面周側に突出枠１８を図１１に示すように配設し、図１４に示すように玉石や割石等の天然石材１９などを並列収容せしめてもよい。このことによって水草や藻類が石の表面に着生して魚の餌場や石材間の隙間が水生昆虫等の生息場となり、石材が流水で常に回転、移動するので自然の川底と同様に水生植物が更新されるし、通水による礫間接触によって水の浄化が図られる。また石材に替えて空隙を有するポーラスコンクリートで成形された図１６の円柱や球状のポーラス構造材２０とすることでその効果を高めることができる。
【００１９】
本発明によるＵ形成形コンクリートブロック１０は、図１５に示すように底部両側に突部２２を対設して上端部を若干開いた状態とし、あるいは図７に示すようにＬ形ブロック２３を対設して連結コンクリート２４で一体化したものの外、図１７に示すように両側壁の頂部に木材状の模様部２５を形成したもの、図１８のようにＬ形ブロック２３、２３を連結部２６で連結したものなどが適宜に採用され、両側壁が平行であるようなことを必須とするものではない。なお、図１８のようなＬ形ブロック２３は別に図１９に示すようにその側壁部に丸太状木材または丸太状コンクリート部２７を配設したものとして図２０のように連結施工することができる。
【００２０】
更に本発明によるものは図２１、図２２に示すように幅広とされたＵ形コンクリートブロック１０の中間部に仕切壁２８を一体的または別体成形されたものを取付け、ブロック１０内を用水系と排水系とに区分したものなどに対しても同様に１を採用し実施できることは図示の通りである。
【００２１】
上記したような本発明によるものは適宜に側壁を垂直または外側に傾斜させた断面Ｕ形として成形されたコンクリートブロックの内側に前端部を平面的に波状屈曲または傾斜させた水流抑制部を設け、該ブロック内の水流に蛇行流を形成させるようにしたことによりコンクリートブロックを用いた水路において蛇行流を形成し流速緩和を図り、また空気（酸素）との接触を得しめて水中への酸素補給ないし水質浄化をもたらす。
【００２２】
また、水流抑制部が中間部または一側部を突出させた前端部と中間部を弯入させた前端部とを組として断面Ｕ形コンクリートブロックの内側に対設され、しかも前記水流抑制部の表面が前記コンクリートブロックの側壁部を高レベルとした傾斜を採って形成されたことによって対設された水流抑制部間において上記したような蛇行流を適切に形成せしめる。
【００２３】
上記したような水流制御部の表面に自然石または自然石状突出模様若しくは微粒材または微粒子状突出模様が設けられたことによってせせらぎ流を形成し、また水と空気との好ましい接触を図って水質の浄化をもたらす。
【００２４】
上記したように断面Ｕ形として成形されたコンクリートブロックと水流抑制部とが別体成形され、前記水流抑制部の底面に凹溝を形成したことにより一般的なＵ形コンクリートブロックを用い、比較的小型の水流制御部を用いて上述したような蛇行流を平易に形成せしめ、しかも上記水流制御部に魚類その他の水中棲息生物の休養ないし産卵に適した生息域を形成する。
【００２５】
上述したような構成を備えたコンクリートブロックを連設し、それらコンクリートブロックに設けられた水流制御部により一連の蛇行水流を形成させるようにしたことによって一連のコンクリートブロックで形成された水路の耐用性ないし強度を充分に確保し、また雑草などの発芽、生長などに対する管理を容易ならしめた条件下において、水勢緩和や水質向上などを適切に図らしめる。
【００２６】
【発明の効果】
以上説明したような本発明によるときはコンクリートブロックを用いて形成された水路における強度、耐用性や水辺の管理性を確保しながら好ましい水勢緩和、水質浄化などをもたらし、更には水中生物などの棲息を図って自然環境に適合した水路を形成し得るものであって工業的にその効果の大きい発明である。
【図面の簡単な説明】
【図１】本発明における水流抑制部の１例を示した斜面図である。
【図２】本発明による水路用コンクリートブロックの１例を示した斜面図である。
【図３】本発明による水路用コンクリートブロックの施工状態を示した断面図である。
【図４】本発明によるコンクリートブロック水路の平面図である。
【図５】本発明における水流抑制部の別の例を示した斜面図である。
【図６】図５に示した水流抑制部を採用いたコンクリートブロック水路の平面図である。
【図７】本発明による水路用コンクリートブロックの比較的大型の例を示した斜面図である。
【図８】水流制御部の取付部分を拡大して示した断面図である。
【図９】本発明の水流制御部についての別の例を示した斜面図である。
【図１０】本発明の水流制御部についての更に別の例を示した斜面図である。
【図１１】本発明の水流抑制部についての更にまた別の例を示した斜面図である。
【図１２】透水部材を採用した本発明の水流抑制部についての断面図である。
【図１３】図１２とは別の透水部材を採用した本発明の水流抑制部についての断面図である。
【図１４】石材を上面に載置した本発明の水流抑制部についての断面図である。
【図１５】本発明による水流抑制部を水路ブロックの片側に設置した場合の構成例を示す断面図である。
【図１６】本発明で用いるポーラス構造材の形状例である。
【図１７】本発明の用いられる水路ブロックの側壁頂縁に木材状の模様部を施した構成例を示す斜面図である。
【図１８】Ｌ形ブロックを連結した構成した水路ブロックにおいてその側壁内面に玉石模様を施した場合を示す斜面図である。
【図１９】Ｌ形ブロックに丸太状模様部を形成した場合を示す斜面図である。
【図２０】図１９のＬ形ブロックを連結した構成した水路ブロックの施工状態を示す断面図である。
【図２１】中間部に仕切壁を有するＵ形ブロックに本発明を採用した場合の構成例を示す斜面図である。
【図２２】中間部に別体成形された仕切壁を採用した場合の構成例を示す斜面図である。
【符号の説明】
１  水流抑制部
２  連結コンクリート
３  自然石状突出模様
５  底面における凹溝
６  急傾斜面
７  平面的な直線状傾斜
８  玉石または玉石などの自然石状立体模様
９  透水性部材（透水性表層部）
９ａ  火山礫などの天然透水材
９ｂ  保水性タイル材
１０  断面Ｕ形コンクリートブロック
１１  水流抑制部の前端縁
１１ａ  中間突出前端部
１１ｂ  中間部弯入前端部
１２  後端部
１３  ブロック側壁
１４  広幅部
１５  狭幅部
１６  側壁部
１７  内腔
１８  突出枠
１９  石材
２０  ポーラス構造材
２１  取付部材
２２  コンクリートブロック１０の両側突部
２３  Ｌ形ブロック
２４  連結コンクリート
２５  木材状模様部
２６  連結部
２７  丸太状木材または丸太状コンクリート部
２８  仕切壁
【図１】
0004020270.tif 000002
【図２】
0004020270.tif 000003
【図３】
0004020270.tif 000004
【図４】
0004020270.tif 000005
【図５】
0004020270.tif 000006
【図６】
0004020270.tif 000007
【図７】
0004020270.tif 000008
【図８】
0004020270.tif 000009
【図９】
0004020270.tif 000010
【図１０】
0004020270.tif 000011
【図１１】
0004020270.tif 000012
【図１２】
0004020270.tif 000013
【図１３】
0004020270.tif 000014
【図１４】
0004020270.tif 000015
【図１５】
0004020270.tif 000016
【図１６】
0004020270.tif 000017
【図１７】
0004020270.tif 000018
【図１８】
0004020270.tif 000019
【図１９】
0004020270.tif 000020
【図２０】
0004020270.tif 000021
【図２１】
0004020270.tif 000022
【図２２】
0004020270.tif 000023